(57)【要約】【課題】ガス流路のセパレータ近傍及びセパレータとは反対側のセル構成部材の近傍を流れるガス流量の適切化を図る。【解決手段】エキスパンドメタル３０のメッシュ３２が、セパレータ１８に接する側は亀甲形を、ガス拡散層１４に接する側は菱形を組み合わせた、五角形のメッシュにより構成されているものである。セパレータ１８近傍に形成されるガス流路２４２の断面積に比して、ガス拡散層１４の近傍に形成されるガス流路２４１の断面積の方が大きくなる。その結果、セパレータ１８の近傍を流れるガス流量よりも、ガス拡散層１４の近傍を流れるガス流量の方が多くなる。よって、ガス流路１６を流れる全ガス流量のうち、エキスパンドメタル３０によりガス拡散層１４に偏向されるガス流の比率が高まり、セル１０の発電性能を向上させることができる。【選択図】図１
2010061992.tif 000002
【特許請求の範囲】
【請求項１】
セパレータを含むセル構成部材間に配置されたエキスパンドメタルによりガス流路が形成されたセル構造を有する燃料電池であって、
前記エキスパンドメタルを構成するメッシュは、前記セパレータとの接触面積に比して、前記セパレータとは反対側に位置するセル構成部材との接触面積の方が小さくなるように形成されていることを特徴とする燃料電池。
【請求項２】
前記エキスパンドメタルを構成するメッシュの、前記セパレータに接するボンド部のボンド長さに比して、前記セパレータとは反対側に位置するセル構成部材に接するボンド部のボンド長さが短く形成されていることを特徴とする請求項１記載の燃料電池。
【請求項３】
前記エキスパンドメタルを構成するメッシュの形状が、メッシュの刻み幅方向視で、メッシュのツール送り方向の対角線を境として、前記セパレータに接する側は亀甲形のメッシュ形状を有し、前記セパレータとは反対側に位置するセル構成部材に接する側は菱形のメッシュ形状を有する、五角形に構成されていることを特徴とする請求項１又は２記載の燃料電池。
【請求項４】
前記エキスパンドメタルを挟んで、前記セパレータとは反対側に位置するセル構成部材と、前記エキスパンドメタルとの間に、メッシュプレートが配置されていることを特徴とする請求項１から３のいずれか１項記載の燃料電池。
【発明の詳細な説明】
【技術分野】
【０００１】
本発明は、燃料電池に関するものである。
【背景技術】
【０００２】
燃料電池は、複数種類のセル構成部材が積層されることによって、最小単位であるセル（単セル）が構成され、なおかつ、セルが複数枚積層されたスタック構造となることで、必要な電圧が確保されるものである。かかるスタック構造において、各セルの最外層に位置してスタック内の各セルを区分けする部材として、板状の部品であるセパレータが用いられている。又、セパレータは、アノード側に燃料ガスをカソード側に酸化剤を各々供給する機能、セルで発電された電気の導電機能、セル内で発生する生成水の排出を行う機能等、様々な役目を担っている。
【０００３】
さて、図７には、固体高分子型燃料電池のセル構造の一例が示されている。このセル１０は、膜・電極接合体１２（Membrane Electrode Assembly：以下、「ＭＥＡ」という。）がセル１０の厚み方向の中心部に配置され、その両面に、ガス拡散層１４（アノード側/カソード側のガス拡散層１４Ａ、１４Ｃ）、ガス流路１６（アノード側/カソード側のガス流路１６Ａ、１６Ｃ）、セパレータ１８（アノード側/カソード側のセパレータ１８Ａ、１８Ｃ）が夫々配置された構造となっている。なお、ＭＥＡ１２とガス拡散層１４とが一体となった膜電極ガス拡散層接合体（ＭＥＧＡ：Membrane Electrode ＆Gas Diffusion
Layer Assembly）が用いられる例もある。
そして、図７のようにガス流路１６がセパレータ１８と別体構造をなすセル１０構造においては、ガス流路１６を形成する構造物として、例えばエキスパンドメタルが用いられることで、上述の如きセパレータの機能を分担、保持している（例えば、特許文献１参照）。
【０００４】
【特許文献１】特開２００８−１０８５７３号公報
【発明の開示】
【発明が解決しようとする課題】
【０００５】
ところで、セル１０のガス流路１６を形成する構造物として用いられるエキスパンドメタル２０は、例えば、図８に示されるような亀甲形のメッシュ２２が、いわゆる千鳥配置された連続構造をなしている。このエキスパンドメタル２０は、平板材料を送りながら金型によって一段づつ切れ込みを入れることによってメッシュ２２が形成されるという製造手順に起因して、各メッシュ２２が、材料送り方向〔（Materials）Forwarding Direction：以下、本説明において「ＦＤ方向」ともいう。〕に、階段状に連なった構造となっている。
そして、図７に示されたセル１０において、エキスパンドメタル２０は、図９に示されるようにメッシュ２２がガス拡散層１４とセパレータ１８との間に傾斜面を構成するようにして配置されることで、千鳥配置されたメッシュ２２と、ガス拡散層１４表面及びセパレータ１８表面との間に、図９に斜線部で示される三角形状の空間２４が、千鳥状に構成される。従って、ガス流路１６を流れるガスは、千鳥状に配置された三角形状の空間２４を順に伝ってＦＤ方向へと流れ、この際、ガス流ＧＦは図８に示されるように、ＦＤ方向と直交する方向〔Transverse Direction又はTool  Direction：以下、本説明において「ツール送り方向」又は「ＴＤ方向」ともいう。〕に揺動し、ターンを繰り返す態様の流れとなる。よって、図９に斜線部で示される三角形状の空間２４の断面積が、ガス流路１６を流れるガスの流量に大きく影響することになる。
【０００６】
図１０は、図７のセル構造のカソード側ガス流路１６Ｃを、ＴＤ方向に切断した断面図であり、この図には、図９に斜線部で示される三角形状の空間２４が、正面視で現れている。この空間２４は、亀甲形のメッシュ２２のボンド部ＢＯ及びストランド部ＳＴ（後述する）と、ガス拡散層１４（１４Ｃ）又はセパレータ１８（１８Ｃ）とで構成されている。そして、ガス拡散層１４（１４Ｃ）近傍に形成されるガス流路と、セパレータ１８（１８Ｃ）近傍に形成されるガス流路とは同じ断面積を有し、両ガス流路のガス流量も均等となっている。
本発明は、以上の如く、セル構成部材間に配置されたエキスパンドメタルによりガス流路が形成されたセル構造を有する燃料電池において、ガス流路のセパレータ近傍及びセパレータとは反対側のセル構成部材の近傍を流れるガス流量の適切化を図り、燃料電池の発電性能を向上させることを目的とするものである。又、エキスパンドメタルが、隣接するセル構成部材に食い込むことを防ぎ、燃料電池の発電性能を向上させることにある。
【課題を解決するための手段】
【０００７】
上記課題を解決するために、本発明の燃料電池は、セパレータを含むセル構成部材間に配置されたエキスパンドメタルによりガス流路が形成されたセル構造を有する燃料電池であって、
前記セパレータ近傍を流れるガス流量よりも、前記セパレータとは反対側に位置するセル構成部材近傍を流れるガス流量を多くするように、全厚方向（後述する）に非対称の構造を有するエキスパンドメタルにより、前記ガス流路が形成されたものである。
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００８】
（１）セパレータを含むセル構成部材間に配置されたエキスパンドメタルによりガス流路が形成されたセル構造を有する燃料電池であって、前記エキスパンドメタルを構成するメッシュは、前記セパレータとの接触面積に比して、前記セパレータとは反対側に位置するセル構成部材との接触面積の方が小さくなるように形成されている燃料電池（請求項１）。
本項に記載の燃料電池は、セパレータとの接触面積に比して、セパレータとは反対側に位置するセル構成部材との接触面積の方が小さく形成された、全厚方向に非対称の構造を有するエキスパンドメタルにより、ガス流路が形成されている。この構造によれば、メッシュ及びセパレータにより、該セパレータ近傍に形成されるガス流路の断面積に比して、メッシュ及びセパレータとは反対側に位置するセル構成部材により、該セパレータとは反対側のセル構成部材の近傍に形成されるガス流路の断面積の方が大きくなる。その結果、セパレータ近傍を流れるガス流量よりも、セパレータとは反対側に位置するセル構成部材近傍を流れるガス流量が多くなる。
【０００９】
（２）上記（１）項において、前記エキスパンドメタルを構成するメッシュの、前記セパレータに接するボンド部のボンド長さに比して、前記セパレータとは反対側に位置するセル構成部材に接するボンド部のボンド長さが短く形成されている燃料電池（請求項２）。
本項に記載の燃料電池は、エキスパンドメタルを構成するメッシュの、セパレータに接するボンド部のボンド長さに比して、セパレータとは反対側に位置するセル構成部材に接するボンド部のボンド長さが短く形成された、全厚方向に非対称の構造を有するエキスパンドメタルにより、ガス流路が形成されている。この構造によれば、メッシュ及びセパレータにより、該セパレータ近傍に形成されるガス流路の断面積に比して、メッシュ及びセ
パレータとは反対側に位置するセル構成部材により、該セパレータとは反対側のセル構成部材の近傍に形成されるガス流路の断面積の方が大きくなる。その結果、セパレータ近傍を流れるガス流量よりも、セパレータとは反対側に位置するセル構成部材近傍を流れるガス流量が多くなる。
【００１０】
（３）上記（１）、（２）項において、前記エキスパンドメタルを構成するメッシュの形状が、メッシュの刻み幅方向視で、メッシュのツール送り方向の対角線を境として、前記セパレータに接する側は亀甲形のメッシュ形状を有し、前記セパレータとは反対側に位置するセル構成部材に接する側は菱形のメッシュ形状を有する、五角形に構成されている燃料電池（請求項３）。
本項に記載の燃料電池は、五角形のメッシュにより構成された、全厚方向に非対称の構造を有するエキスパンドメタルにより、ガス流路が形成されている。この構造によれば、メッシュ及びセパレータにより、該セパレータ近傍に形成されるガス流路の断面積に比して、メッシュ及びセパレータとは反対側に位置するセル構成部材により、該セパレータとは反対側のセル構成部材の近傍に形成されるガス流路の断面積の方が大きくなる。その結果、セパレータ近傍を流れるガス流量よりも、セパレータとは反対側に位置するセル構成部材近傍を流れるガス流量が多くなる。
【００１１】
（４）上記（１）から（３）項において、前記エキスパンドメタルを挟んで、前記セパレータとは反対側に位置するセル構成部材と、前記エキスパンドメタルとの間に、メッシュプレートが配置されている燃料電池（請求項４）。
本項に記載の燃料電池は、エキスパンドメタルを挟んで、セパレータとは反対側に位置するセル構成部材と、エキスパンドメタルとの間に、メッシュプレートが配置され、エキスパンドメタルのコンタクト面から、エキスパンドメタルが隣接するセル構成部材への荷重の伝達を、メッシュプレートを介して行うものである。メッシュプレートは、複数の開口が形成された平坦なプレートであり、開口部以外の部分が、セパレータとは反対側に位置するセル構成部材に当接するものである。そして、エキスパンドメタルと、エキスパンドメタルに隣接するセル構成部材との間での、ガスやセル内で発生する生成水の授受を阻害することなく、エキスパンドメタルと、エキスパンドメタルが隣接するセル構成部材との接触面圧を低下させる。
特に、上記（１）から（３）項のごとく、エキスパンドメタルが全厚方向に非対称の構造を有する場合には、セパレータとは反対側に位置するセル構成部材との接触面積の方が小さくなることから、エキスパンドメタルと、エキスパンドメタルが隣接するセル構成部材との接触面圧も自ずと高くなる。よって、メッシュプレートの上記機能が、より有効に発揮されるものとなる。
【００１２】
（５）上記（１）から（４）項において、前記メッシュプレートの開口径が、前記エキスパンドメタルの開口径よりも小さい燃料電池。
本項に記載の燃料電池は、メッシュプレートの開口径が、エキスパンドメタルの開口径よりも小さいことから、セル内で発生する生成水が、メッシュプレートを介してエキスパンドメタルへ移動する際に、小開口から大開口へと移動することによる毛管力が作用し、生成水の移動が円滑行われることとなる。
【００１３】
（６）上記（１）から（５）項において、前記メッシュプレートのメッシュのボンド部のピッチは、前記エキスパンドメタルのメッシュのボンド部のピッチよりも小さい燃料電池。
本項に記載の燃料電池は、メッシュプレートのメッシュのボンド部のピッチは、エキスパンドメタルのメッシュのボンド部のピッチよりも小さいことから、エキスパンドメタルのメッシュのボンド部が、メッシュプレートのボンド部に当接する確立は自ずと高まることとなる。そして、エキスパンドメタルからの荷重をメッシュプレートで受けて、メッシ
ュプレートから、エキスパンドメタルを挟んで、セパレータとは反対側に位置するセル構成部材に荷重を伝えることで、エキスパンドメタルが隣接するセル構成部材との接触面圧を低下させる。又、エキスパンドメタルがメッシュプレートに当接する確立が高まることにより、セル内で発生する生成水が、メッシュプレートを介してエキスパンドメタルへと円滑に移動することとなる。
【００１４】
（７）上記（１）から（６）項において、前記メッシュプレートのコンタクト率が４０％以上である燃料電池。
本項に記載の燃料電池は、メッシュプレートのコンタクト率（メッシュプレートの全体から、メッシュプレートの空隙率を差し引いた値）が４０％以上であることにより、エキスパンドメタルからの荷重を、メッシュプレートを介して、セパレータとは反対側に位置するセル構成部材へと伝えるために必要なだけ、エキスパンドメタルのメッシュのボンド部が、メッシュプレートのボンド部に当接する確立が高まることとなる。又、メッシュプレートと、セパレータとは反対側に位置するセル構成部材との接触面積も増大することとなる。なお、コンタクト率が大きすぎると、必要な開口径を得ることができなくなり、ガスの流通を阻害することにもなるので、開口径との兼ね合いを考慮して、コンタクト率が決定されるものである。
【００１５】
（８）上記（１）から（７）項において、前記メッシュプレートに比して前記エキスパンドメタルが親水性を有する燃料電池。
本項に記載の燃料電池は、メッシュプレートに比してエキスパンドメタルが親水性を有することにより、セル内で発生する生成水が、メッシュプレートを介してエキスパンドメタルへ移動する際に、エキスパンドメタルの親水性によって、生成水の移動が円滑行われることとなる。
【発明の効果】
【００１６】
本発明はこのように構成したので、セル構成部材間に配置されたエキスパンドメタルによりガス流路が形成されたセル構造を有する燃料電池において、ガス流路のセパレータ近傍及びセパレータとは反対側のセル構成部材の近傍を流れるガス流量の適切化を図り、燃料電池の発電性能を向上させることができる。又、エキスパンドメタルが、隣接するセル構成部材に食い込むことを防ぎ、燃料電池の発電性能を向上させることができる。
【発明を実施するための最良の形態】
【００１７】
以下、本発明を実施するための最良の形態を添付図面に基づいて説明する。なお、従来技術と同一部分若しくは相当する部分については、詳しい説明を省略する。
まず、本発明を実施するための最良の形態を説明するにあたり、予め、図６を参照しながらエキスパンドメタルの各部名称を明らかにする。エキスパンドメタルは、一般的には、既に説明した亀甲形のメッシュ２２（図８、図６（ｃ）参照）や、図６（ａ）に示されるような、菱形のメッシュ２６が、いわゆる千鳥配置された連続構造をなしている。そして、メッシュの交差部をボンド部ＢＯ、メッシュのボンド部ＢＯ間をつなぐ部分をストランド部ＳＴという。又、ボンド部ＢＯのＴＤ方向の長さをボンド長さＢＯｌ、ストランド部ＳＴの厚みを刻み幅（送り幅）Ｗという。図中、符号ｔは素材の板厚、符号Ｄはエキスパンドメタルの全厚であり、この全厚Ｄが、セル構成部材間に配置された状態における、エキスパンドメタルの厚みとなる。なお、図６には、併せてＦＤ方向（材料送り方向）、ＴＤ方向（ツール送り方向）及びＷＤ方向（メッシュの刻み幅方向）を示している。
各部名称から明らかなように、亀甲形のメッシュ２２は、ボンド部ＢＯのボンド長さＢＯｌの長いメッシュ形状であり、菱形のメッシュ２６は、ボンド部ＢＯのボンド長さＢＯｌの短いメッシュ形状である。そして、菱形のメッシュ２６のＦＤ方向断面形状（Ａ−Ａ断面形状）と、亀甲形のメッシュ２２のＦＤ方向断面形状（Ａ’−Ａ’断面図）とは同一であることから、図６（ｂ）に両者のＦＤ方向断面形状を示している。
【００１８】
さて、本発明の実施の形態に係るセル燃料電池は、セパレータを含むセル構成部材間に配置された金属プレートによりガス流路が形成されたセル構造を有する燃料電池であって、図１に概略的に示されるような構造的特徴を備えるものである。すなわち、セパレータ１８（１８Ｃ）との接触面積に比して、セパレータとは反対側に位置するセル構成部材、図示の例ではガス拡散層１４（１４Ｃ）との接触面積の方が小さくなるように、全厚Ｄ方向に非対称の構造を有するエキスパンドメタル３０により、ガス流路１６が形成されている。具体的には、エキスパンドメタル３０を構成するメッシュ３２の、セパレータ１８に接するボンド部ＢＯ１のボンド長さに比して、ガス拡散層１４（１４Ｃ）に接するボンド部ＢＯ２のボンド長さが短く形成されているものである。すなわち、エキスパンドメタル３０は、ＷＤ方向視で、ＴＤ方向の対角線ＴＤｄを境として、セパレータ１８に接する側は亀甲形のメッシュ形状を有し、ガス拡散層１４に接する側は菱形のメッシュ形状を有する、五角形のメッシュ３２により構成されるものである。
【００１９】
又、本発明の実施の形態に係るセル燃料電池の応用例として、図２から図４に概略的に示されるような構造的特徴を具備することとしても良い。すなわち、セパレータ１８を含むセル構成部材間に配置された金属プレートとして、エキスパンドメタル３０とメッシュプレート２６とを、セル１０の厚み方向に重ねて構成されたものが用いられ、しかも、ガス拡散層１４（１４Ｃ）と、エキスパンドメタル３０との間に、メッシュプレート２６が配置されているものである。
このメッシュプレート２６は、エキスパンドメタル３０と同様に、平板材料を送りながら金型によって一段づつ切れ込みを入れることによってメッシュが形成されるものであるが、階段状に成形されたエキスパンドメタル３０とは異なり、複数の開口が形成された平坦なプレートである。そして、メッシュプレート２６のメッシュの交差部をボンド部、メッシュのボンド部間をつなぐ部分をストランド部という。本説明では、メッシュプレートのボンド部を符号２６ＢＯで、ストランド部を符号２６ＳＴで示している（図４参照）。また、エキスパンドメタル３０は、燃料電池での使用環境を考慮してチタンが用いられる場合が多く、メッシュプレート２６についても、同様の理由からチタンが用いられることが望ましい。
【００２０】
ここで、メッシュプレート２６の開口径Ｏｍが、エキスパンドメタル３０の開口径Ｏｅよりも小さいことが望ましい。又、メッシュプレート２６のメッシュのボンド部２６ＢＯのピッチは、図４（ａ）に示されるように、エキスパンドメタル３０の製造工程中、五角形のメッシュ３２の、ボンド部ＢＯ１の角部を潰すようにして圧延ローラ等を用いて成形される、狭小平坦面であるコンタクト面Ｃｓのピッチよりも小さいものである。具体例として、メッシュ３２のボンド部ＢＯ１のコンタクト面Ｃｓの、ＦＤ方向のピッチＰＦＤが０．７ｍｍ、ＴＤ方向のピッチＰＴＤが０．５ｍｍである場合に、メッシュプレート２６のボンド部２６ＢＯのピッチ２６ＰＦＤは０．７ｍｍ未満、ＴＤ方向のピッチ２６ＰＴＤが０．５ｍｍ未満とされる。
【００２１】
又、メッシュプレート２６のコンタクト率Ｃｏが４０％以上であることが望ましい。なお、このコンタクト率の値が大きすぎると、メッシュプレート２６の必要な開口径Ｏｍを得ることができなくなり、ガスの流通を阻害することにもなるので、開口径との兼ね合いを考慮して、コンタクト率Ｃｏが決定されるものである。
さらには、メッシュプレート２６に比してエキスパンドメタル３０が親水性を有することが望ましい。例えば、メッシュプレート２６の表面は、撥水剤（例えば、フッ素系、シリコン系、炭化水素系）が塗布され、撥水めっきが施され若しくは撥水性素材により構成され、又は、撥水性素材の表面を意図的に荒らすための、ホーニング処理やプラズマ処理が施されるものである。一方、エキスパンドメタル３０の表面に、親水剤（ＯＨ基を含む親水剤）が塗布され、親水性素材により構成され、又は、親水性素材の表面を意図的に荒
らすためのホーニング処理や、プラズマ処理（親水基を表面に付着させる）が施されることにより、エキスパンドメタル３０とメッシュプレート２６との親水性に上記の差を与えることとしても良い。
【００２２】
さて、上記構成をなす本発明の実施の形態によれば、次のような作用効果を得ることが可能である。まず、本発明の実施の形態に係る燃料電池１０は、図１の例では、セパレータ１８（１８Ｃ）との接触面積に比して、ガス拡散層１４（１４Ｃ）との接触面積の方が小さく形成された、全厚Ｄ方向に非対称の構造を有するエキスパンドメタル３０により、ガス流路１６（１６Ｃ）が形成されている。
換言すれば、エキスパンドメタル３０を構成するメッシュ３２の、セパレータ１８に接するボンド部ＢＯ２のボンド長さに比して、ガス拡散層１４に接するボンド部ＢＯ１のボンド長さが短く形成された、全厚Ｄ（図６（ｂ）参照）方向に非対称の構造を有するエキスパンドメタル３０により、ガス流路が形成されている。
より具体的には、エキスパンドメタル３０のメッシュ３２の形状が、ＷＤ方向視で、メッシュ３２のＴＤ方向の対角線ＴＤｄを境として、セパレータ１８に接する側は亀甲形のメッシュ形状（図６（ｃ）参照）を有し、ガス拡散層１４に接する側は菱形のメッシュ形状（図６（ａ）参照）を有する、五角形のメッシュにより構成されているものである。
【００２３】
この構造によれば、メッシュ３２及びセパレータ１８により、セパレータ１８近傍に形成される、斜線部で示されたガス流路２４２の断面積に比して、メッシュ３２及びガス拡散層１４により、ガス拡散層１４の近傍に形成される、斜線部で示されたガス流路２４１の断面積の方が大きくなる。その結果、セパレータ１８の近傍を流れるガス流量よりも、ガス拡散層１４の近傍を流れるガス流量の方が多くなる。よって、ガス流路１６を流れる全ガス流量のうち、エキスパンドメタル３０によりガス拡散層１４に偏向されるガス流の比率が高まり、セル１０の発電性能を向上させることができる。
なお、エキスパンドメタル３０のメッシュ３２の五角形は、あくまでも一例であり、セパレータ１８（１８Ｃ）との接触面積に比して、ガス拡散層１４（１４Ｃ）との接触面積の方が小さく形成された、全厚方向の形状に非対称の構造を有するものであれば、同様の作用効果を得ることが可能である。
【００２４】
又、図２から図４に示された例では、エキスパンドメタル３０は、ガス流路１６（１６Ｃ）中のガス流を、セパレータ１８（１８Ｃ）、又は、セパレータ１８とは反対側に位置するセル構成部材、図示の例ではガス拡散層１４（１４Ｃ）へと偏向させる機能を有している。一方、メッシュプレート２６は、ガス拡散層１４（１４Ｃ）に対する、エキスパンドメタル３０の接触面圧Ｕを低減させる機能を有している。
【００２５】
具体的には、ガス拡散層１４とエキスパンドメタル３０との間に、メッシュプレート２６が配置され、エキスパンドメタル３０のコンタクト面Ｃｓから、ガス拡散層１４への接触面圧Ｕが、メッシュプレート２６を介して伝達されるものである。ここで、メッシュプレート２６は、複数の開口が形成された平坦なプレートであり、開口部以外の部分である、ボンド部２６ＢＯ又はストランド部２６ＳＴが、ガス拡散層１４に、直接当接することにより、エキスパンドメタル３０とガス拡散層１４との間での、ガスやセル内で発生する生成水の授受を阻害することなく、エキスパンドメタル３０とガス拡散層１４との接触面圧Ｕを低下させるものである。従って、エキスパンドメタル３０の接触面Ｃｓがガス拡散層１４に食い込み、ガス拡散層１４にダメージを与えることを防ぐことができる。そして、三角形状の空間２４（図９、図８）の断面積の減少を防ぎ、ガス流路１６を流れるガスの流量が減少することによる、発電性能の低下を回避することとなる。
特に、エキスパンドメタル３０のメッシュ３２の形状が、五角形のように全厚方向に非対称の構造を有しているような場合には、ガス拡散層１４との接触面積の方が小さくなることから、エキスパンドメタル３０とガス拡散層１４との接触面圧も自ずと高くなり、メ
ッシュプレート２６の上記機能がより有効に発揮されるものとなる。
【００２６】
又、メッシュプレート２６の開口径Ｏｍが、エキスパンドメタル３０の開口径Ｏｅよりも小さく、本発明の実施の形態では、メッシュプレート２６のメッシュのボンド部２６ＢＯのピッチは、エキスパンドメタル３０のメッシュのボンド部ＢＯのピッチよりも小さく構成されていることから、エキスパンドメタル３０のメッシュのボンド部ＢＯが、メッシュプレート２６のボンド部２６ＢＯに当接する確立は自ずと高まることとなり、セル１０内（カソード側電極）で発生する生成水が、メッシュプレート２６を介してエキスパンドメタル３０へと円滑に移動することとなる。
しかも、セル１０内で発生する生成水が、メッシュプレート２６を介してエキスパンドメタル３０へ移動する際に、小開口から大開口（Ｏｍ＜Ｏｅ）へと移動することによる毛管力が作用し、生成水の移動が円滑行われることとなる。
【００２７】
又、メッシュプレート２６のコンタクト率Ｃｏ（メッシュプレートの全体から、メッシュプレートの空隙率を差し引いた値）が４０％以上であることにより、エキスパンドメタル３０からの荷重を、メッシュプレート２６を介してガス拡散層１４へと伝えるために必要なだけ、エキスパンドメタル３０のメッシュのボンド部ＢＯが、メッシュプレート２６のボンド部２６ＢＯに当接する確立が高まることとなる。又、メッシュプレート２６と、ガス拡散層１４との接触面積も増大することとなる。
本発明の実施の形態においては、図５に斜線部で示される、メッシュプレート２６の開口径Ｏｍが０．５ｍｍ未満で、かつ、メッシュプレート２６のコンタクト率Ｃｏが４０％以上とすることで、エキスパンドメタル３０の接触面Ｃｓがガス拡散層１４に食い込むことを効果的に防ぎ、セル内で発生する生成水の、メッシュプレート２６を介してエキスパンドメタル３０への移動を円滑に行うことが可能となる。
【００２８】
しかも、メッシュプレート２６に比してを有することにより、セル１０内で発生する生成水が、メッシュプレート２６を介してエキスパンドメタル３０へ移動する際に、エキスパンドメタル３０の親水性によって、生成水の移動が円滑行われることとなる。
なお、本発明の実施の形態では、カソード側ガス流路１６Ｃに五角形のメッシュ形状を有するエキスパンドメタル３０と、必要に応じメッシュプレート２６を配置した場合を例示して説明したが、アノード側ガス流路１６Ａにこれらを配置してもよく、双方のガス流路１６Ａ、１６Ｃの双方にこれらを配置することも可能である。又、ガス拡散層１４を具備しないセル構造であっても、エキスパンドメタル３０と、必要に応じメッシュプレート２６を配置することで、同様の作用効果を得ることが可能となる。
【図面の簡単な説明】
【００２９】
【図１】本発明の実施の形態に係る固体高分子型の、セルのガス流路をＴＤ方向に切断した断面図である。
【図２】本発明の実施の形態に係る固体高分子型の、セルのガス流路の応用例をＴＤ方向に切断した断面図である。
【図３】本発明の実施の形態に係る固体高分子型燃料電池の、セルのガス流路をＦＤ方向に切断した断面図である。
【図４】（ａ）は、本発明の実施の形態に係る固体高分子型燃料電池の、ガス流路を構成するエキスパンドメタルの接触面と、メッシュプレートとの関係を示す平面図であり、（ｂ）は、エキスパンドメタルの斜視図である。
【図５】本発明の実施の形態に係る固体高分子型燃料電池の、メッシュプレートのコンタクト率と、メッシュプレートの開口径との適切な範囲を示す説明図である。
【図６】エキスパンドメタルの各部名称の説明図であり、（ａ）は菱形のメッシュの平面図、（ｂ）はＡ−ＡおよびＡ’−Ａ’線における断面図、（ｃ）は亀甲形のメッシュの平面図である。
【図７】従来の固体高分子型燃料電池のセル構造の一例を示す断面図である。
【図８】図７に示されるセルのガス流路を形成する、亀甲形のメッシュを備えるエキスパンドメタルの平面図である。
【図９】図８に示されたエキスパンドメタルを用いた、従来のセルのガス流路をＦＤ方向に切断した断面図である。
【図１０】図９に示された従来のセルのガス流路をＴＤ方向に切断した断面図である。
【符号の説明】
【００３０】
１０：セル、１２：ＭＥＡ、  １４、１４Ａ、１４Ｃ：ガス拡散層、  １６、１６Ａ、１６Ｃ：ガス流路、  １８、１８Ａ、１８Ｃ：セパレータ、  ２２：亀甲形のメッシュ、２４：空間、２６：メッシュプレート、２６ＢＯ：メッシュプレートのボンド部、２６ＳＴ：メッシュプレートのストランド部、３０：エキスパンドメタル、３２：五角形のメッシュ、ＢＯ：エキスパンドメタルのボンド部、ＳＴ：エキスパンドメタルのストランド部、Ｃｓ：コンタクト面
【図１】
2010061992.tif 000003
【図５】
2010061992.tif 000004
【図６】
2010061992.tif 000005
【図９】
2010061992.tif 000006
【図１０】
2010061992.tif 000007
【図２】
2010061992.tif 000008
【図３】
2010061992.tif 000009
【図４】
2010061992.tif 000010
【図７】
2010061992.tif 000011
【図８】
2010061992.tif 000012